(57)【特許請求の範囲】
【請求項１】
少なくとも内周にボイスコイルを接合するとともに、外周から内周に向かって曲面の等高線および外周が多角形であり、かつボイスコイルとの接合部である中心部周辺に向かって円形へと徐変して形成され、更に、前記外周に内周が前記外周と同じ多角形のロールエッジを貼り合わせた振動板を用いたスピーカ。
【請求項２】
外周に向かって円形へと徐変して形成されるロールエッジを貼り合わせてなる請求項１に記載のスピーカ。
【請求項３】
振動板に断面の円弧長をエッジ全周において略一定長としたロールエッジを貼り合わせてなる請求項２に記載のスピーカ。
【請求項４】
少なくとも振動板を外周から内周に向かう曲面の等高線をＲ付きの多角形とした請求項１に記載のスピーカ。
【請求項５】
振動板にエッジ内径がＲ付きの多角形であるロールエッジを貼り合わせてなる請求項４に記載のスピーカ。
【発明の詳細な説明】
【０００１】
【発明の属する技術分野】
本発明は各種音響機器に使用されるスピーカに関するものである。
【０００２】
【従来の技術】
以下に、従来のスピーカについて説明する。
【０００３】
図６は、従来のスピーカの要部の断面図を示すものであり、その構成は、ポールピース付き下部プレート１と上部プレート２の間にマグネット３を配し、上記ポールピース付下部プレート１と上部プレート２の間に均一な隙間の磁気ギャップ４を設け、上部プレート２にはフレーム５を接合し、そのフレーム５にはダンパー６、振動板７を接合し、それぞれの内周はボイスコイル８と接合され、ボイスコイル８の線輪９が磁気ギャップ４に触れないように支持している。
【０００４】
上記振動板７の中心付近には、磁気ギャップ４へのゴミの侵入を防ぐダストキャップ１０を設けている。
【０００５】
次に上記スピーカの動作を説明すると、ボイスコイル８の線輪９に電気信号が入力されると、ボイスコイル８は磁気ギャップ４から上下の力を受けて動き、この力はボイスコイル８に接合された振動板７を動かし、振動板７はスピーカ前面に音を発生する。
【０００６】
なお、振動板７は、同心円の徐変形状になっている。
【０００７】
【発明が解決しようとする課題】
しかしながら、上述のスピーカは、図７に示すように振動板７が、同心円状になっているために振動板７を振動させることにより、振動板７に同心円状に共振が発生し、面鳴き等を起こし、周波数特性にピーク・ディップを生じさせたり、エッジ部７ａにも同様の条件で共振が発生し、周波数特性にピーク・ディップを生じさせるという課題を有するものであった。
【０００８】
本発明は上記課題を解決するもので、振動板、エッジ部での共振を分散し、周波数特性を平坦なものとし、音質の優れたスピーカを提供するものである。
【０００９】
【課題を解決するための手段】
上記課題を解決するために本発明のスピーカは、少なくとも内周にボイスコイルを接合するとともに、等高線および外周を多角形とし、外周から内周に向かってこの等高線がボイスコイルとの接合部である中心部周辺に向かって円形へと徐変して形成され、更に、前記外周に内周が前記外周と同じ多角形のロールエッジを貼り合わせた振動板で構成するものであり、振動板に発生する同心円状の共振を分散し、平坦な周波数特性を実現するとともに、エッジ部に対しても共振の分散を行い、更なる平坦な周波数特性を実現するものである。
【００１０】
【発明の実施の形態】
本発明の請求項１に記載の発明は、外周から内周に向かって曲面の等高線および外周が多角形となり、ボイスコイルとの接合部である中心部周辺に向かって円形へと徐変する形状を有する振動板を用いるものであり、振動板に発生する同心円状の共振を分散し、平坦な周波数特性を実現するとともに、この振動板に貼り合わせるロールエッジを同じ多角形としてエッジ部に対しても共振の分散を行い、更なる平坦な周波数特性を実現するものである。
【００１２】
請求項２に記載の発明は、請求項１に記載の構成の振動板に対して、内径が同多角形で外径に向かって円形に徐変していくロールエッジを貼り合わせたものであり、請求項１と同様の効果をもたらすものである。
【００１３】
請求項３に記載の発明は、請求項２に記載の構成のロールエッジの断面の円弧長をエッジ全周において、略一定長とすることによって、請求項２の効果に加えて、ロールエッジの最大振幅量がエッジ全周において等しくなるという効果がある。したがって、より大きな振幅と低い最低共振周波数に対応できるものである。
【００１４】
請求項４に記載の発明は、外周から内周に向かう曲面の等高線をＲ付きの多角形とするとともに、ボイスコイルとの接合部である中心部周辺へ向け円形へと徐変する形状とした振動板を用いるものであり、請求項１の効果に加えて、振動板の面強度をアップすることができるものである。
【００１５】
請求項５に記載の発明は、請求項４に記載の構成の振動板に同じＲ付きの多角形のロールエッジを貼り合わせたものであり、請求項４のものの効果に加えてエッジ部の強度向上を図るものである。
【００１６】
以下本発明のスピーカの一実施の形態について図１〜図５により説明する。なお、スピーカの全体構成は従来技術と同様であるので要部である振動板を中心に説明する。
【００１７】
（実施の形態１）
図１（ａ）は本発明のスピーカの一実施の形態の要部である振動板の正面図であり、図１（ｂ）は同側断面図であり、図２（ａ）はエッジを貼り合わせた状態を示す振動板の正面図であり、図２（ｂ）は同側断面図であり、図３（ａ）は他のエッジを貼り合わせた状態を示す振動板の正面図であり、図３（ｂ）は同側断面図であり、図４（ａ）は他のエッジを貼り合わせた状態を示す振動板の正面図であり、図４（ｂ）は同側断面図であり、図５は図４の振動板を用いたスピーカの周波数特性を示すものである。
【００１８】
図１（ａ），（ｂ）によると１１は５角形に形成されたスピーカ用の振動板であり、外周から内周に向かう曲面の等高線がＲ付きの５角形であり、ボイスコイル（図示せず）との接合部である中心部に向かって円形へと徐変する形状としたものである。
【００１９】
以上のように振動板１１を構成したので共振を分散し、平坦な周波数特性を実現するものである。
【００２０】
特に上記実施の形態ではＲ付きの多角形としたので振動板１１の強度向上も行えるものである。
【００２１】
また、図２（ａ），（ｂ）によると１２は内周を多角形としたロールエッジであり、振動板１１に貼り合わせることによってロールエッジ１２における共振の分散を図るものである。
【００２２】
なお、この図２（ａ），（ｂ）におけるロールエッジ１２は外周側を円形に徐変する構成としたため、フレーム５との接合も容易に行えるものである。
【００２３】
図３（ａ），（ｂ）、図４（ａ），（ｂ）は上記実施の形態のそれぞれ応用展開例を示すものであり、図３（ａ），（ｂ）はロールエッジ１２ａの円弧の深さを略同じとしたものであり、図４（ａ），（ｂ）はロールエッジ１２ｂの円弧を全周に亘って略一定長に設定したものであり、ロールエッジ１２ａ，１２ｂの最大振幅量をエッジ全周において略同じにしてより大きな振幅と低い最低共振周波数に対応可能となるものである。
【００２４】
なお、図５は図４（ａ），（ｂ）の振動板１１とロールエッジ１２ｂを貼り合わせてスピーカに用いたものの周波数特性図であり、図７に示した従来のスピーカ用振動板を使用したスピーカの周波数特性図と比較すると明らかなごとく従来のスピーカ用振動板を使用していたスピーカで発生した２〜３ｋＨｚ付近の共振を分散し、平坦な周波数特性を実現することが確認された。
【００２５】
【発明の効果】
以上のように本発明のスピーカは、外周から内周に沿った曲面の等高線を多角形とし、ボイスコイルとの接合部である中心部周辺へ向け円形へと徐変する形状を有する振動板を用い振動板に発生する同心円状の共振を分散し、平坦な周波数特性を実現するとともにこれに合わせて内周が多角形のロールエッジを貼り合わせて、更なる平坦な周波数特性を実現するものである。
【図面の簡単な説明】
【図１】（ａ）本発明のスピーカの一実施の形態の要部である振動板の正面図
（ｂ）同側断面図
【図２】（ａ）同要部である振動板とロールエッジを貼り合わせた状態の正面図
（ｂ）同側断面図
【図３】（ａ）同要部である振動板と他のロールエッジを貼り合わせた状態の正面図
（ｂ）同側断面図
【図４】（ａ）同要部である振動板と他のロールエッジを貼り合わせた状態の正面図
（ｂ）同側断面図
【図５】同図４の振動板を用いたスピーカの周波数特性図
【図６】従来のスピーカの要部の断面図
【図７】同周波数特性図
【符号の説明】
１１  振動板
１２，１２ａ，１２ｂ  ロールエッジ
【図１】
0003796937.tif 000002
【図２】
0003796937.tif 000003
【図３】
0003796937.tif 000004
【図４】
0003796937.tif 000005
【図５】
0003796937.tif 000006
【図６】
0003796937.tif 000007
【図７】
0003796937.tif 000008